(57)【要約】【課題】  容易に筐体の内室の結露やファンの加熱を抑えることができる送風機を提供することにある。【解決手段】  内部に内室を有する筐体と、筐体の内室に設けられたファンと、筐体外部からファンの吸引側に連通する吸引ダクトと、ファンの送風側から筐体の外部に連通する送風ダクトとを備え、吸引ダクトの筐体の内室に面する外周に、筐体の内室と吸引ダクトの内部とが連通する吸引口を有し、送風ダクトの筐体の内室に面する外周に、送風ダクトの内部と筐体の内室とが連通する排出口を有することを特徴とする。【選択図】図１
2010203750.tif 000002
【特許請求の範囲】
【請求項１】
建築物の床下や天井裏等に送風する送風機において、
内部に内室を有する筐体と、
該筐体の内室に設けられたファンと、
該筐体外部から該ファンの吸引側に連通する吸引ダクトと、
該ファンの送風側から該筐体の外部に連通する送風ダクトとを備え、
該吸引ダクトの該筐体の内室に面する外周に、該筐体の内室と該吸引ダクトの内部とが連通する吸引口を有し、
該送風ダクトの該筐体の内室に面する外周に、該送風ダクトの内部と該筐体の内室とが連通する排出口を有することを特徴とする送風機。
【請求項２】
一端が前記筐体の内室に突出し、他端が前記吸引ダクトの内側に突出すると共に前記ファン側に屈曲してなる吸引筒を、該吸引ダクトの吸引口に備えることを特徴とする請求項１記載の送風機。
【発明の詳細な説明】
【技術分野】
【０００１】
本発明は、建築物の床下や天井裏等に送風する送風機に関する。
【背景技術】
【０００２】
従来より、建築物の床下や天井裏等に送風する送風機としては、特許文献１に示されるような送風機が用いられている。特許文献１の送風機は、換気口に挿着される本体筐体部と、本体筐体部の前面側に形成された吸引口と、本体筐体部の背面側に配設された背面側パネル部と、背面側パネル部に形成された送風口と、本体筐体部の内部に配設されたファン等から構成され、吸引口から入った空気が、送風口から送出される構造である。
【０００３】
また、より簡易な構造の送風機としては、例えば図４に示すものがある。図４に示す従来の送風機２０は、内部に内室２ａを有する筐体２と、筐体２の内室２ａに設けられたファン４と、ファン４を駆動するモータ６と、筐体２外部からファン４の吸引側に連通する吸引ダクト２２と、ファン４の送風側から筐体２の外部に連通する送風ダクト２４とを備え、ファン４の動きにより吸引ダクト２２から吸い込まれた空気が、送風ダクト２４側に送風される。尚、筐体２は、ファン４やモータ６の防音や防振のために設けられている。
【先行技術文献】
【特許文献】
【０００４】
【特許文献１】特開２００５−２１４５９６号公報
【発明の概要】
【発明が解決しようとする課題】
【０００５】
しかしながら、図４に示すような従来の送風機では、吸引ダクト２２や送風ダクト２４には高速で空気が流れる一方で、筐体２の内室２ａの空気は動かないため、それぞれの空気に温度差が生じ、筐体２の内室２ａで結露が生じてしまう。また、ファンが加熱しやすいという問題もある。
【０００６】
本発明は、このような事情に鑑みてなされたもので、容易に筐体の内室の結露やファンの加熱を抑えることができる送風機を提供することにある。
【課題を解決するための手段】
【０００７】
請求項１記載の送風機は、内部に内室を有する筐体と、筐体の内室に設けられたファンと、筐体外部からファンの吸引側に連通する吸引ダクトと、ファンの送風側から筐体の外部に連通する送風ダクトとを備え、吸引ダクトの筐体の内室に面する外周に、筐体の内室と吸引ダクトの内部とが連通する吸引口を有し、送風ダクトの筐体の内室に面する外周に、送風ダクトの内部と筐体の内室とが連通する排出口を有することを特徴とする。
【０００８】
請求項２記載の送風機は、一端が筐体の内室に突出し、他端が吸引ダクトの内側に突出すると共にファン側に屈曲してなる吸引筒を、吸引ダクトの吸引口に備えることを特徴とする。
【発明の効果】
【０００９】
請求項１の発明によれば、空気が、送風ダクトの排出口から筐体の内室に排出され、内室を通って、吸引ダクトの吸引口から吸引ダクトの内部に流れ込むという循環が生まれ、吸引ダクトや送風ダクトの内部の空気が、筐体の内室の空気と混ざり合うことになり、それぞれの空気の温度差が減少し、筐体の内室の結露やファンの加熱を抑えることができる。
【００１０】
請求項２の発明によれば、吸引筒の他端側が、吸引ダクトのファン側に向いて開口していることから、この開口周辺が負圧になりやすく、より効率的に筐体の内室の空気の循環を促すことができ、筐体の内室の結露やファンの加熱を抑えることができる。
【図面の簡単な説明】
【００１１】
【図１】本発明に係る送風機の構造の一例を示す説明図である。
【図２】同送風機の外観を示す外観図である。
【図３】同送風機の構造の他の例を示す説明図である。
【図４】従来の送風機の構造の示す説明図である。
【発明を実施するための形態】
【００１２】
以下、本発明の形態について図面を参照しながら具体的に説明する。本発明の形態における送風機は、建築物の床下や天井裏等に送風するものである。図１は、本発明に係る送風機の構造の一例を示す説明図である。図２は、同送風機の外観を示す外観図である。図３は、同送風機の構造の他の例を示す説明図である。
【００１３】
図において、送風機１は、筐体２と、ファン４と、モータ６と、吸引ダクト１０と、送風ダクト１４から構成されている。筐体２の内室２ａには、ファン４及びファン４を駆動するモータ６が設けられている。ファン４は、例えばシロッコファン等であり、本実施例のファン４はモータ６と別体であるが、一体のものであっても構わない。
【００１４】
筐体２の側面には管状の吸気ダクト１０が射し込まれている。そして、吸気ダクト１０の一端が筐体２から突出すると共に他端がファン４の吸引側に連結され、筐体２の外部とファン４の吸引側が連通している。また、筐体２の吸気ダクト１０が射し込まれている側面に対し９０度の位置の側面には管状の送風ダクト１４が射し込まれている。
そして、送風ダクト１４の一端がファン４の送風側に連結されると共に他端が筐体２から突出し、ファン４の送風側が筐体２の外部と連通している。
【００１５】
また、吸引ダクト１０の筐体２の内室２ａに面する外周に、筐体２の内室２ａと吸引ダクト１０の内部とが連通する吸引口１０ａを有し、送風ダクト１４の筐体２の内室２ａに面する外周に、送風ダクト１４の内部と筐体２の内室２ａとが連通する排出口１４ａを有する。
【００１６】
次に、このような構造の送風機１の動作を説明する。まず、ファン４がモータ６により動作すると、吸引ダクト１０から空気が吸引される。そして、ファン４によって吸引された空気が、送風ダクト１４に所定の風圧で送り出されることになる。このとき、筐体２の内室２ａに対し、吸引ダクト１０の内部は負圧になるため、筐体２の内室２ａの空気が、吸引ダクト１０の吸引口１０ａから、吸引ダクト１０の内部に流れ込む。すると今度は、筐体２の内室２ａの圧力もさがり、今度は、送風ダクト１４の内部に比べ筐体２の内室２ａの方が負圧になり、送風ダクト１４の排出口１４ａから空気が筐体２の内室２ａに排出されることになる。このように、空気が、送風ダクト１４の排出口１４ａから筐体２の内室２ａに排出され、内室２ａを通って、吸引ダクト１０の吸引口１０ａから、吸引ダクト１０の内部に流れ込むという循環が生まれる。
【００１７】
このように、本実施の形態の送風機１によれば、空気が、送風ダクト１４の排出口１４ａから筐体２の内室２ａに排出され、内室２ａを通って、吸引ダクト１０の吸引口１０ａから、吸引ダクト１０の内部に流れ込むという循環が生まれることにより、吸引ダクト１０や送風ダクト１４の内部の空気が、筐体２の内室２ａの空気と混ざり合うことになり、それぞれの空気の温度差が減少する。このため、筐体２の内室２ａの結露が抑えられることになる。また、筐体２の内室２ａに設けられたファン４やモータ６の加熱を抑えることもできる。さらに、吸引ダクト１０及び送風ダクト１４に、吸引口１０ａ及び排出口１４ａを設けるだけの構造のため、容易に結露防止が可能となる。さらに、既にある送風機に対しても、吸引口及び排出口を穿設することで、結露防止を図ることができる。
【００１８】
尚、図３に示すように、吸引ダクト１０に、一端が筐体２の内室２ａに突出し、他端が吸引ダクト１０の内側に突出すると共にファン４側に屈曲してなる略Ｌ字状の吸引筒１２を設けるようにしてもよい。吸引筒１２の他端側が、吸引ダクト１０のファン４側に向いて開口していることから、この開口周辺が負圧になりやすく、より効率的に筐体２の内室２ａの空気の循環を促し、結露防止を図ることができる。
【産業上の利用可能性】
【００１９】
以上のように、容易に筐体の内室の結露を防止できる送風機を提供することができる。
【符号の説明】
【００２０】
１・・・・・送風機
２・・・・・筐体
２ａ・・・・内室
４・・・・・ファン
６・・・・・モータ
１０・・・・吸引ダクト
１０ａ・・・吸引口
１２・・・・吸引筒
１４・・・・送風ダクト
１４ａ・・・排出口
２０・・・・送風機
２２・・・・吸引ダクト
２４・・・・送風ダクト
【図１】
2010203750.tif 000003
【図２】
2010203750.tif 000004
【図３】
2010203750.tif 000005
【図４】
2010203750.tif 000006